(57)【要約】【課題】  腕時計ケースの形状や操作部材の設置位置が腕時計ごとに異なっても、端子板などの接続部品を共通化して静電気対策を図ることができる電子腕時計を提供する。【解決手段】  操作部材である上面釦１０に電気的に接続される端子板１５を腕時計ケース１内に設け、この端子板１５に長さ調節部１８を有する接触片１７を設けた。従って、腕時計ケース１内に設けられた端子板１５の接触片１７を裏蓋に接触させる際に、この接触片１７の長さ調節部１８によって裏蓋に対する接触片１７の長さを調節することができる。このため、腕時計ケース１の形状や上面釦１０の設置位置が腕時計ごとに異なっても、端子板１５を共通化することができると共に、この端子板１５によって上面釦１０における静電気対策を確実に且つ良好に図ることができる。【選択図】        図３
2010286260.tif 000002
【特許請求の範囲】
【請求項１】
腕時計ケースと、
この腕時計ケースの裏面に取り付けられた導電性を有する裏蓋と、
前記腕時計ケースにその内部と外部とに貫通して設けられた操作部材と、
前記腕時計ケースの内面に取り付けられ、且つ前記裏蓋に接触する接触片が形成されて前記操作部材に電気的に接続される端子板とを備え、
この端子板の前記接触片に、前記裏蓋に対して接触する長さが調節可能な長さ調節部を設けたことを特徴とする電子腕時計。
【請求項２】
前記長さ調節部は、前記接触片の両側部にその長手方向に沿って所定間隔で設けられた複数の切欠き部であり、その所定間隔ごとの前記切欠き部によって前記接触片の折曲または切断を可能にしたことを特徴とする請求項１に記載の電子腕時計。
【請求項３】
前記長さ調節部は、前記接触片にその長手方向に沿って所定間隔で設けられた複数の孔であり、その所定間隔ごとの前記孔によって前記接触片の折曲または切断を可能にしたことを特徴とする請求項１に記載の電子腕時計。
【請求項４】
前記長さ調節部は、前記接触片にその長手方向に沿って連続して設けられ、且つ多数の小孔を有するネット状部であり、このネット状部によって前記接触片の折曲または切断を可能にしたことを特徴とする請求項１に記載の電子腕時計。
【請求項５】
前記操作部材が位置する箇所における前記腕時計ケースの内面には、前記端子板を配置するための配置部が突出して設けられており、前記端子板には、前記突出した配置部の両側部を挟み付ける一対の取付片が設けられていることを特徴とする請求項１〜請求項４のいずれかに記載の電子腕時計。
【発明の詳細な説明】
【技術分野】
【０００１】
この発明は、押釦などの操作部材を備えた電子腕時計に関する。
【背景技術】
【０００２】
従来、電子腕時計においては、押釦などの操作部材を操作する際に、静電気による悪影響を防ぐために、腕時計ケースに金属などの導電性材料で形成された環状の中枠を設け、この中枠に電池押え板と接触する第１の接触片および操作部材と接触する第２の接触片を一体に形成し、電池の電極が接触する電池押え板と操作部材とを中枠によって電気的に導通させることにより、静電気を逃がすように構成されたものが知られている。
【先行技術文献】
【特許文献】
【０００３】
【特許文献１】特開２００６−２１５０４３号公報
【発明の概要】
【発明が解決しようとする課題】
【０００４】
しかしながら、このような従来の電子腕時計では、腕時計ケース内に中枠を配置する際に、腕時計ケースに対する中枠の取付高さ、取付角度、取付幅が腕時計ケースの形状ごとに異なったり、また押釦などの操作部材の取付角度や設置位置が腕時計ケースの形状ごとに異なったりするため、腕時計ケースの形状や操作部材の設置位置に応じて中枠を製作しなければならないという問題がある。
【０００５】
この発明が解決しようとする課題は、腕時計ケースの形状や操作部材の設置位置が腕時計ごとに異なっても、端子板などの接続部品を共通化して静電気対策を図ることができる電子腕時計を提供することである。
【課題を解決するための手段】
【０００６】
この発明は、上記課題を解決するために、次のような構成要素を備えている。
請求項１に記載の発明は、腕時計ケースと、この腕時計ケースの裏面に取り付けられた導電性を有する裏蓋と、前記腕時計ケースにその内部と外部とに貫通して設けられた操作部材と、前記腕時計ケースの内面に取り付けられ、且つ前記裏蓋に接触する接触片が形成されて前記操作部材に電気的に接続される端子板とを備え、この端子板の前記接触片に、前記裏蓋に対して接触する長さが調節可能な長さ調節部を設けたことを特徴とする電子腕時計である。
【０００７】
請求項２に記載の発明は、前記長さ調節部が、前記接触片の両側部にその長手方向に沿って所定間隔で設けられた複数の切欠き部であり、その所定間隔ごとの前記切欠き部によって前記接触片の折曲または切断を可能にしたことを特徴とする請求項１に記載の電子腕時計である。
【０００８】
請求項３に記載の発明は、前記長さ調節部が、前記接触片にその長手方向に沿って所定間隔で設けられた複数の孔であり、その所定間隔ごとの前記孔によって前記接触片の折曲または切断を可能にしたことを特徴とする請求項１に記載の電子腕時計である。
【０００９】
請求項４に記載の発明は、前記長さ調節部が、前記接触片にその長手方向に沿って連続して設けられ、且つ多数の小孔を有するネット状部である、このネット状部によって前記接触片の折曲または切断を可能にしたことを特徴とする請求項１に記載の電子腕時計である。
【００１０】
請求項５に記載の発明は、前記操作部材が位置する箇所における前記腕時計ケースの内面に、前記端子板を配置するための配置部が突出して設けられており、前記端子板には、前記突出した配置部の両側部を挟み付ける一対の取付片が設けられていることを特徴とする請求項１〜請求項４のいずれかに記載の電子腕時計である。
【発明の効果】
【００１１】
この発明によれば、操作部材に電気的に接続される端子板に形成された接触片を裏蓋に接触させる際に、この接触片に設けられた長さ調節部によって裏蓋に対する接触片の長さを調節することができる。このため、腕時計ケースの形状や操作部材の設置位置が腕時計ごとに異なっても、接続部品である端子板を共通化することができると共に、この端子板によって操作部材における静電気対策を確実に且つ良好に図ることができる。
【図面の簡単な説明】
【００１２】
【図１】この発明を適用した電子腕時計の実施形態１を示した拡大正面図である。
【図２】図１の電子腕時計のＡ−Ａ矢視における拡大断面図である。
【図３】図２の腕時計ケースにおいて上面釦付近を裏面から見た状態を示した要部の拡大斜視図である。
【図４】図３の上面釦における要部を示した分解斜視図である。
【図５】図４の端子板を示した拡大斜視図である。
【図６】この発明を適用した電子腕時計の実施形態２を示した拡大正面図である。
【図７】図６の電子腕時計のＢ−Ｂ矢視における拡大断面図である。
【図８】図７の腕時計ケースにおいて上面釦付近を裏面から見た状態を示した要部の拡大斜視図である。
【図９】図８の上面釦における要部を示した分解斜視図である。
【図１０】図９の端子板を示した拡大斜視図である。
【図１１】実施形態２の端子板の変形例を示した拡大斜視図である。
【図１２】この発明を適用した電子腕時計の実施形態３において端子板のみを示した拡大斜視図である。
【発明を実施するための形態】
【００１３】
（実施形態１）
以下、図１〜図５を参照して、この発明を適用した電子腕時計の実施形態１について説明する。
この電子腕時計は、図１および図２に示すように、腕時計ケース１を備えている。この腕時計ケース１は、ケース本体２と、このケース本体２の上部に設けられた環状の第１ベゼル３と、ケース本体２および第１ベゼル３の外周に設けられた第２ベゼル４とで構成されている。
【００１４】
この腕時計ケース１におけるケース本体２の上部開口部には、図２に示すように、時計ガラス５がパッキン５ａを介して取り付けられており、このケース本体２の下部には、金属などの導電性を有する裏蓋６が防水リング６ａを介して取り付けられている。また、このケース本体２の内部には、時計モジュール７が収容されている。この時計モジュール７は、図示しないが、時刻などの情報を表示する表示部や、指針を運針させて時刻を指示するための時計ムーブメントなどの時計機能に必要な各種の部品を備えている。
【００１５】
また、この腕時計ケース１における２時、４時、８時、１０時に対応する各側部には、図１に示すように、側面釦８がそれぞれ設けられていると共に、この腕時計ケース１における６時に対応する上面側には、図１および図２に示すように、上面釦１０が設けられている。これら側面釦８および上面釦１０は、それぞれ腕時計ケース１の外部から操作するための操作部材であり、腕時計ケース１にその外部から内部に貫通して設けられている。
【００１６】
これらの操作部材のうち、６時側に位置する上面釦１０は、図２に示すように、釦部１１と釦軸１２とを備え、釦部１１が腕時計ケース１の外部に位置し、釦軸１２がケース本体２の貫通孔２ａを通して腕時計ケース１内に突出するように構成されている。この場合、ケース本体２には、図２に示すように、その上部側から下部側に向けて貫通孔２ａが傾斜して設けられている。
【００１７】
釦部１１は、図２に示すように、ケース本体２の外面にその貫通孔２ａに対応して配置されている。釦軸１２は、ケース本体２の貫通孔２ａ内にスライド可能に挿入されてケース本体２内に突出し、この突出した先端部（図２では右下側の端部）にＥリングなどの金属製の抜止めリング１３が取り付けられ、この抜止めリング１３によってケース本体２から外部に抜け出さないように構成されている。
【００１８】
この場合、操作部材である上面釦１０が位置するケース本体２の内面には、図２および図３に示すように、上部側から下部側（図３で下部側から上部側）に向けて傾斜する傾斜配置部１４がケース本体２の内側に突出して形成されている。この傾斜配置部１４は、抜止めリング１３が対応する部分であり、その対応する配置面が抜止めリング１３の外径よりも少し大きく形成されている。
【００１９】
また、この傾斜配置部１４には、端子板１５が配置されている。この端子板１５は、導電性を有する金属板からなり、図３および図４に示すように、ケース本体２内の傾斜配置部１４に配置される本体部１６と、裏蓋６に接触する接触片１７とが、一体に形成された構成になっている。すなわち、端子板１５の本体部１６は、図４および図５に示すように、平板状に形成されている。
【００２０】
また、この本体部１６の中心部には、図３〜図５に示すように、操作部材である上面釦１０の釦軸１２が挿入する挿入孔１６ａが設けられている。さらに、この本体部１６の両側部には、図３および図４に示すように、ケース本体２の内側に突出して形成された傾斜配置部１４の両側部を挟み付けるための一対の取付片１６ｂが設けられている。
【００２１】
すなわち、この一対の取付片１６ｂは、端子板１５の本体部１６に対して９０°の角度よりも少し小さい角度、例えば８０°程度の角度で互いに接近する方向に向けて折り曲げられ、本体部１６をケース本体２の傾斜配置部１４に配置する際に、ケース本体２の内側に突出した傾斜配置部１４の両側部に沿って圧入して、傾斜配置部１４の両側部を挟み付けることにより、本体部１６を傾斜配置部１４に取り付けるように構成されている。
【００２２】
これにより、端子板１５は、図３に示すように、その本体部１６がケース本体２の傾斜配置部１４に配置されると、一対の取付片１６ｂが傾斜配置部１４の両側部を挟み付け、この状態で上面釦１０の釦軸１２の先端部（図４では左側の端部）が挿入孔１６ａに挿入され、この挿入された釦軸１２の先端部に抜止めリング１３が取り付けられ、この抜止めリング１３が本体部１６に接触して導通するように構成されている。
【００２３】
一方、端子板１５の接触片１７は、図３〜図５に示すように、裏蓋６側に位置する端子板１５の辺部（図４では上辺部）から裏蓋６側（図４では上方）に向けて十分に長く延びる帯板状に形成されている。この帯板状の接触片１７には、図４および図５に示すように、裏蓋６に対して接触する長さが調節可能な長さ調節部１８が設けられている。
【００２４】
この長さ調節部１８は、図５に示すように、接触片１７の両側部にその長手方向に沿って所定間隔で設けられた複数の切欠き部１８ａである。この複数の切欠き部１８ａは、接触片１７の両側部に互いに対向して形成されてＶ字状の切込み溝であり、図４に示すように、裏蓋６に対する接触長さに応じて、複数の切欠き部１８ａごとの各位置で接触片１７の折曲または切断を可能にするように構成されている。
【００２５】
すなわち、この長さ調節部１８は、接触片１７の両側部にその長手方向に沿って所定間隔で設けられた複数の切欠き部１８ａのうち、裏蓋６に対する接触長さに対応する位置において互いに対向する切欠き部１８ａの箇所で、図３および図４に示すように、接触片１７を折り曲げることにより、接触片１７の長さを調節するか、あるいは接触片１７が必要以上に長い場合に、裏蓋６に対する接触長さに応じた不要な箇所において互いに対向する切欠き部１８ａの箇所で、接触片１７を切断することにより、接触片１７の長さを調節するように構成されている。
【００２６】
次に、この腕時計ケース１に端子板１５を取り付ける場合について説明する。
まず、腕時計ケース１のケース本体２の内面に形成された傾斜配置部１４に、端子板１５の本体部１６を配置する。このときには、図３に示すように、本体部１６の中心部に設けられた挿入孔１６ａをケース本体２に設けられた貫通孔２ａに対応させ、この状態で本体部１６の両側部に設けられた一対の取付部１６ｂをケース本体２の内側に突出した傾斜配置部１４の両側部に沿って圧入させる。
【００２７】
これにより、一対の取付部１６ｂがケース本体２の傾斜配置部１４の両側部を挟み付けるので、端子板１５の本体部１６がケース本体２の傾斜配置部１４に外れることなく取り付けられる。この状態で、図２に示すように、操作部材である上面釦１０の釦軸１２を腕時計ケース１の外部からケース本体２の貫通孔２ａに挿入し、この釦軸１２の先端部(図２では右側の端部)をケース本体２の内部に突出させる。
【００２８】
このときには、釦軸１２の先端部が端子板１５の本体部１６に設けられた挿入孔１６ａに挿入されてケース本体２の内部に突出する。この突出した釦軸１２の先端部に抜止めリング１３を取り付ける。これにより、上面釦１５は、その釦部１１が腕時計ケース１の外部に露出した状態で、釦軸１２が腕時計ケース１の外部に抜け出すことなく、押し込み方向にスライド可能に取り付けられると共に、抜止めリング１３が端子板１５の本体部１６に接触して導通する。
【００２９】
この状態で、裏蓋６に対する端子板１５の接触片１７の長さを調節する。このときには、接触片１７に設けられた長さ調節部１８によって接触片１７の長さを裏蓋６に対する接触長さに応じて接触片１７を折曲するか、または切断することにより、接触片１７の長さを調節する。この場合、長さ調節部１８は、図５に示すように、接触片１７の両側部にその長手方向に沿って所定間隔で設けられた複数の切欠き部１８ａである。
【００３０】
このため、この複数の切欠き部１８ａのうち、裏蓋６に対する接触長さに対応する位置において互いに対向する切欠き部１８ａの箇所で、図３および図４に示すように、接触片１７を折り曲げることにより、接触片１７が裏蓋６の内面に良好に接触するように、接触片１７の長さを調節する。また、接触片１７が必要以上に長い場合には、その不要な部分の位置において互いに対向する切欠き部１８ａの箇所で接触片１７を切断することにより、接触片１７が裏蓋６の内面に良好に接触するように、接触片１７の長さを調節する。
【００３１】
この状態で、ケース本体２の裏面に裏蓋６を取り付けると、この裏蓋６に端子板１５の接触片１７が接触して導通する。このため、端子板１５の本体部１６が操作部材である上面釦１０の釦軸１２に取り付けられた抜止めリング１３に接触していることにより、上面釦１０の一部である抜止めリング１３と裏蓋６とが端子板１５によって電気的に接続され、上面釦１０に発生した静電気を裏蓋６に逃がすことができる。
【００３２】
このように、この電子腕時計によれば、腕時計ケース１の裏面に取り付けられた導電性を有する裏蓋６と、腕時計ケース１にその内部と外部とに貫通して設けられた操作部材である上面釦１０と、腕時計ケース１の内面に取り付けられ、且つ裏蓋６に接触する接触片１７が形成されて上面釦１０に電気的に接続される端子板１５とを備え、この端子板１５の接触片１７に、裏蓋６に対して接触する長さが調節可能な長さ調節部１８を設けたので、腕時計ケース１の形状や上面釦１０の設置位置が腕時計ごとに異なっても、端子板１５を共通化して静電気対策を図ることができる。
【００３３】
すなわち、操作部材である上面釦１０に電気的に接続される端子板１５に形成された接触片１７を裏蓋６に接触させる際に、この接触片１７に設けられた長さ調節部１８によって裏蓋６に対する接触片１７の長さを調節することができる。このため、腕時計ケース１に対する上面釦１０の設置位置が腕時計ごとに異なっても、端子板１５を共通化することができ、これにより部品の在庫管理を容易にすることができると共に、端子板１５によって上面釦１０における静電気対策を確実に且つ良好に図ることができる。
【００３４】
この場合、長さ調節部１８は、接触片１７の両側部にその長手方向に沿って所定間隔で設けられた複数の切欠き部１８ａであり、その所定間隔ごとの切欠き部１８ａによって接触片１７の折曲または切断を可能にした構成であることにより、長さ調整部１８の構造が簡単で、その製作が容易にできると共に、複数の切欠き部１８ａのうちの、裏蓋６に対して接触する長さに対応する位置において互いに対向する切欠き部１８ａの箇所で、接触片１７を容易に折り曲げることができ、また接触片１７が必要以上に長い場合には、その不要なる部分において互いに対向する切欠き部１８ａの箇所で接触片１７を簡単に切断することができ、これにより接触片１７の長さを容易に調節することができる。
【００３５】
また、端子板１５は、本体部１６の両側部に一対の取付部１６ｂが本体部１６に対して９０°の角度よりも少し小さい角度、例えば８０°程度の角度で互いに接近する方向に向けて折り曲げられているので、本体部１６をケース本体２の内側に突出した傾斜配置部１４に取り付ける際に、一対の取付部１６ｂを傾斜配置部１４の両側部に沿って圧入させることができ、これにより本体部１６を傾斜配置部１４に確実に取り付けることができる。このため、両面接着テープや粘着剤などを用いずに、端子板１５を傾斜配置部１４に外れることなく確実に取り付けることができる。
【００３６】
（実施形態２）
次に、図６〜図１０を参照して、この発明を適用した電子腕時計の実施形態２について説明する。なお、図１〜図５に示された実施形態１と同一部分には同一符号を付して説明する。
この電子腕時計は、図１０に示すように、端子板１５の接触片２０が実施形態１と異なる構成であり、これ以外は実施形態１とほぼ同じ構成になっている。
【００３７】
この場合、腕時計ケース１は、図６および図７に示すように、ケース本体２の上部外周に第１ベゼル３を設け、この第１ベゼル３の外周にベゼルカバー３ａを設け、このベゼルカバー３ａの外周に第２ベゼル４を設けた構成であり、これ以外は実施形態１と同じ構成になっている。また、この場合にも、腕時計ケース１における２時、４時、８時、１０時の各側部には、側面釦８がそれぞれ設けられており、腕時計ケース１における６時側の上面には、図６および図７に示すように、上面釦１０が設けられている。
【００３８】
ところで、端子板１５は、実施形態１と同様、金属板からなり、図８〜図１０に示すように、ケース本体２内の傾斜配置部１４に配置される本体部１６と、裏蓋６に接触する接触片２０とが一体に形成された構成になっている。この場合にも、端子板１５の本体部１６は、図９および図１０に示すように、平板状に形成されており、その中心部には、操作部材である上面釦１０の釦軸１２が挿入する挿入孔１６ａが設けられている。また、この本体部１６の両側部には、ケース本体２の内側に突出した傾斜配置部１４の両側部を挟み付ける一対の取付片１６ｂが設けられている。
【００３９】
これにより、端子板１５は、実施形態１と同様、その本体部１６がケース本体２の傾斜配置部１４に配置されて一対の取付片１６ｂが傾斜配置部１４の両側部を挟み付け、この状態で上面釦１０の釦軸１２の先端部（図４では左がわの端部）が挿入孔１６ａに挿入され、この挿入された釦軸１２の先端部に抜止めリング１３が取り付けられ、この抜止めリング１３が本体部１６に接触して導通するように構成されている。
【００４０】
一方、端子板１５の接触片２０は、図９および図１０に示すように、裏蓋６側に位置する端子板１５の辺部（図９では上辺部）から裏蓋６側（図９では上方）に向けて十分に長く延びる帯板状に形成されている。この帯板状の接触片２０には、図９および図１０に示すように、裏蓋６に対して接触する長さが調節可能な長さ調節部２１が設けられている。
【００４１】
この長さ調節部２１は、図１０に示すように、接触片２１にその長手方向に沿って所定間隔で設けられた複数の長孔２１ａである。この複数の長孔２１ａは、接触片２０の長手方向に対して直交する幅方向に細長く形成され、これにより裏蓋６に対して接触する長さに応じて、複数の長孔２１ａごとの各位置で接触片２０の折曲または切断を可能にするように構成されている。
【００４２】
すなわち、この長さ調節部２１は、接触片２０にその長手方向に沿って所定間隔で設けられた複数の長孔２１ａのうち、裏蓋６に対して接触する長さに対応する位置の長孔２１ａの箇所で、接触片２０を折り曲げることにより、接触片２０の長さを調節するか、あるいは接触片２０が必要以上に長い場合に、その不要な部分に位置する長孔２１ａの箇所で、接触片２０を切断することにより、接触片２０の長さを調節するように構成されている。
【００４３】
このような電子腕時計においても、実施形態１と同様の作用効果があるほか、操作部材である上面釦１０に電気的に接続される端子板１５に形成された接触片２０を裏蓋６に接触させる際に、この接触片２０に設けられた長さ調節部２１によって裏蓋６に対する接触片２０の長さを調節することができる。このため、腕時計ケース１に対する上面釦１０の設置位置や、腕時計ケース１の形状が腕時計ごとに異なっても、端子板１５を共通化することができ、これにより部品の在庫管理を容易にすることができると共に、端子板１５によって上面釦１０における静電気対策を確実に且つ良好に図ることができる。
【００４４】
この場合、長さ調節部２１は、接触片２０にその長手方向に沿って所定間隔で設けられた複数の長孔２１ａであり、その所定間隔ごと各長孔２１ａによって接触片２０の折曲または切断を可能にした構成であることにより、長さ調整部２１の構造が簡単で、その製作が容易にできると共に、複数の長孔２１ａのうち、裏蓋６に対して接触する長さに対応する位置の長孔２１ａの箇所で、接触片２０を容易に折り曲げることができ、また接触片２０が必要以上に長い場合には、その不要なる部分に位置する長孔２１ａの箇所で接触片２０を簡単に切断することができ、これにより接触片２０の長さを容易に調節することができる。
【００４５】
なお、前述した実施形態２では、端子板１５の接触片２０に設けられた長さ調節部２１が、接触片２０の長手方向に沿って所定間隔で設けられた複数の長孔２１ａである場合について述べたが、これに限らず、例えば図１１に示すように、長さ調節部２３として、接触片２０の長手方向に沿って連続する１つの長孔２３ａを設け、この長孔２３ａの互いに対向する縁部に接触片２０の長手方向に沿って所定間隔で複数の切欠き部２３ｂを設けた構成であっても良い。
【００４６】
このように構成すれば、実施形態１、２と同様、接触片２０の長手方向に沿って連続する１つの長孔２３ａの縁部に設けられた複数の切欠き部２３ｂのうち、裏蓋６に対して接触する長さに対応する位置において互いに対向する一対の切欠き部２３ｂの箇所で、接触片２０を容易に折り曲げることができ、また接触片２０が必要以上に長い場合には、その不要な部分に位置する一対の切欠き部２３ｂの箇所で接触片２０を簡単に切断することができ、これにより接触片２０の長さを容易に調節することができる。
【００４７】
(実施形態３)
次に、図１２を参照して、この発明を適用した電子腕時計の実施形態３について説明する。この場合にも、図１〜図５に示された実施形態１と同一部分には同一符号を付して説明する。
この電子腕時計は、図１２に示すように、端子板１５の接触片３０に設けられた長さ調節部３１が実施形態１と異なる構成であり、これ以外は実施形態１、２と同じ構成になっている。
【００４８】
すなわち、端子板１５の接触片３０は、実施形態１と同様、裏蓋６側に位置する端子板１５の辺部（図１２では左上側の辺部）から裏蓋６側（図１２では左斜め上方）に向けて十分に長く延びる帯板状に形成されている。この帯板状の接触片３０には、図１２に示すように、裏蓋６に対して接触する長さが調節可能な長さ調節部３１が設けられている。
【００４９】
この長さ調節部３１は、図１２に示すように、接触片３０の長手方向に沿って連続する細長い領域内に多数の小孔３２ａを設けたネット状部３２である。このネット状部３２は、その領域内に多数の小孔３２ａが設けられていることにより、裏蓋６に対して接触する長さに応じた箇所で、接触片３０の折曲または切断を可能にするように構成されている。
【００５０】
すなわち、この長さ調節部３１は、接触片３０にその長手方向に沿って連続するネット状部３２に多数の小孔３２ａが設けられていることにより、そのネット状部３２の任意の位置で、接触片３０を折り曲げて接触片３０の長さを調節するか、あるいか接触片３０が必要以上に長い場合に、その不要な部分に位置する箇所で接触片３０を切断して接触片３０の長さを調節するように構成されている。
【００５１】
このような電子腕時計によれば、実施形態１と同様の作用効果があるほか、接触片３０の長さ調節部３１が、接触片３０にその長手方向に沿って連続して設けられ、且つ多数の小孔３２ａを有するネット状部３２であることにより、裏蓋６に対して接触する長さに対応するネット状部３２の任意の位置で、接触片３０を容易に折り曲げることができ、また接触片３０が必要以上に長い場合には、その不要なる部分に位置するネット状部３２の任意の位置で接触片３０を簡単に切断することができ、これにより接触片３０の長さを容易に調節することができる。
【００５２】
なお、前述した実施形態１〜３およびその変形例では、操作部材として、腕時計ケース１の６時側に位置する上面釦１０に適用した場合について述べたが、必ずしも上面釦１０である必要はなく、腕時計ケース１の２時、４時、８時、１０時の各側部に設けられた側面釦８にも適用することができる。
【符号の説明】
【００５３】
１  腕時計ケース
２  ケース本体
２ａ  貫通孔
６  裏蓋
７  時計モジュール
８  側面釦
１０  上面釦
１１  釦部
１２  釦軸
１３  抜止めリング
１４  傾斜配置部
１５  端子板
１６  本体部
１６ａ  挿入孔
１６ｂ  一対の取付片
１７、２０、３０  接触片
１８、２１、２３、３１  長さ調節部
１８ａ、２３ｂ  切欠き部
２１ａ、２３ａ  長孔
３２  ネット状部
３２ａ  小孔
【図１】
2010286260.tif 000003
【図２】
2010286260.tif 000004
【図３】
2010286260.tif 000005
【図４】
2010286260.tif 000006
【図５】
2010286260.tif 000007
【図６】
2010286260.tif 000008
【図７】
2010286260.tif 000009
【図８】
2010286260.tif 000010
【図９】
2010286260.tif 000011
【図１０】
2010286260.tif 000012
【図１１】
2010286260.tif 000013
【図１２】
2010286260.tif 000014